(57)【要約】  ネットワーク側において、移動局によって報告される、現在測定されているパイロットチャネルの、受信信号コード電力すなわちＲＳＣＰと、信号対干渉比すなわちＥｃ／Ｉｏとを受け取ることと、ネットワークにおいて、受け取られたＲＳＣＰとＥｃ／Ｉｏとに基づいて、現在望まれているパイロットチャネル送信電力値を決定することと、決定された現在望まれているパイロットチャネル送信電力値に基づいて、パイロットチャネル送信電力を調整することとを含む、パイロットチャネル送信電力を調整するための方法を提供している。また、対応する装置を提供している。前記方法または前記装置によって、移動局の通信エリアを制御して、移動範囲において移動局によって決定されるセル通信品質を保証するために、基地局のパイロットチャネル送信電力を正確に決定することができる。【選択図】    図１
2010502136.tif 000002
【特許請求の範囲】
【請求項１】
パイロットチャネルの送信電力を調整するための方法において、
移動局によって報告される前記パイロットチャネルの現在測定されている、以下、ＲＳＣＰと呼ぶ受信信号コード電力の値と、以下、Ｅｃ／Ｉｏと呼ぶ信号対干渉比の値とを、ネットワーク側によって受け取ることと、
前記受け取ったＲＳＣＰの値とＥｃ／Ｉｏの値とにしたがって、前記パイロットチャネルの現在要求されている送信電力の値を、前記ネットワーク側によって決定することと、
前記パイロットチャネルの現在要求されている送信電力の決定された値にしたがって、前記パイロットチャネルの送信電力を調整することとを含む方法。
【請求項２】
前記移動局によって報告されるＲＳＣＰの値とＥｃ／Ｉｏの値とを、前記ネットワーク側によって受け取る前に、
前記方法は、
前記移動局によって開始された通話テストを前記ネットワーク側が検出した後、ダウンリンクイントラ周波数測定制御コマンドを前記ネットワーク側によって前記移動局に対して送ることをさらに含み、
前記ダウンリンクイントラ周波数測定制御コマンドは、ダウンリンクパイロットチャネルのＲＳＣＰの値とＥｃ／Ｉｏの値とを報告するように前記移動局に要求する命令情報を含む請求項１記載の方法。
【請求項３】
前記移動局によって報告される、前記ＲＳＣＰの値とＥｃ／Ｉｏの値とを前記ネットワーク側によって受け取ることは、
前記移動局によって開始された通話テストを前記ネットワーク側が検出した後に、前記ダウンリンクイントラ周波数測定制御コマンドを前記ネットワーク側によって前記移動局に対して周期的に送ることと、
前記ダウンリンクイントラ周波数測定制御コマンドを前記移動局が受け取った後に、前記ダウンリンクパイロットチャネルの現在測定されているＲＳＣＰの値とＥｃ／Ｉｏの値とを、前記移動局によって前記ネットワーク側に対して周期的に報告することとを含む請求項２記載の方法。
【請求項４】
前記パイロットチャネルの現在要求されている送信電力の値を決定することは、
前記移動局によって現在報告されている前記ダウンリンクパイロットチャネルのＲＳＣＰおよびＥｃ／Ｉｏの値を、前記ネットワーク側によって取得することと、
基地局の現在の総送信電力と、前記ダウンリンクパイロットチャネルの送信電力とを含むパラメータを取得すること、または、前記基地局の現在の送信電力の負荷レベルのパーセンテージと前記基地局の総送信電力に対するパイロットチャネル電力の比とを含むパラメータを取得することと、
前記取得したパラメータにしたがって、前記基地局の前記ダウンリンクパイロットチャネルの現在要求されている送信電力を計算することとを含む請求項１記載の方法。
【請求項５】
前記取得したパラメータにしたがって、前記基地局のダウンリンクパイロットチャネルの現在要求されている送信電力を計算することは、
総干渉電力：Ｉｏ＝ＲＳＣＰの測定された値／（Ｅｃ／Ｉｏの測定された値）と、
担当セルにおける干渉：Ｉｏｒ＝ＲＳＣＰの測定された値×（前記基地局の現在の総送信電力／前記ダウンリンクパイロットチャネルの送信電力）、または、
担当セルにおける干渉：Ｉｏｒ＝ＲＳＣＰの測定された値×（前記基地局の現在の送信電力の負荷レベルのパーセンテージ／前記基地局の総送信電力に対するパイロットチャネル電力の比）、と
他の干渉：Ｉｏｕｗ＝Ｉｏ−Ｉｏｒと、
現在要求されているＲＳＣＰの値＝Ｉｏｕｗ×パイロット保護マージンＭと、
前記パイロットチャネルの現在要求されている送信電力＝前記ダウンリンクパイロットチャネルの現在の送信電力×（現在要求されているＲＳＣＰの値／前記ＲＳＣＰの測定された値）とによって実行される請求項４記載の方法。
【請求項６】
前記パイロットチャネルの現在要求されている送信電力の値を決定した後で、前記パイロットチャネルの送信電力を調整する前に、
前記方法は、
前記決定されたパイロットチャネルの前記現在要求とされている送信電力を、前記ネットワーク側によってスムージングまたはフィルタリングすることをさらに含む請求項２記載の方法。
【請求項７】
前記スムージングすることは、
前記パイロットチャネルの現在記録されている送信電力を、最近の時間期間に取得された、または、最近の回に取得された前記パイロットチャネルの現在要求されている送信電力と比較することと、
前記スムージングの後に要求される前記パイロットチャネルの送信電力の値として、これらの送信電力の最小値を採用することとを含む請求項６記載の方法。
【請求項８】
前記決定されたパイロットチャネルの現在要求されている送信電力を前記ネットワーク側によってスムージングまたはフィルタリングした後に、
前記通話テストが終了されていない場合、前記ネットワーク側は、前記移動局によって報告されるパイロットチャネルの現在測定されたＲＳＣＰおよびＥｃ／Ｉｏの値を受け取り続け、
前記通話テストが終了されている場合、前記ネットワーク側は、前記パイロットチャネルの現在要求されている送信電力の決定された値にしたがって、前記パイロットチャネルの送信電力を調整する請求項６記載の方法。
【請求項９】
前記パイロットチャネルの現在要求されている送信電力の決定された値にしたがって、パイロットチャネルの送信電力を調整することは、
調整するための、前記パイロットチャネルの送信電力の結果として生じる値として、前記パイロットチャネルの現在要求されている送信電力の多数の取得した値の中の最大値を採用することと、
調整するための、前記パイロットチャネルの送信電力の結果として生じる値にしたがって、前記パイロットチャネルの送信電力を前記基地局によって調整することとを含む請求項１ないし８のうちのいずれか１項記載の方法。
【請求項１０】
前記パイロットチャネルの送信電力を調整した後に、前記パイロットチャネルの送信電力にしたがって、他のチャネルの送信電力を調整することをさらに含む請求項９記載の方法。
【請求項１１】
パイロットチャネルの送信電力を調整するための装置において、
ネットワーク側において構成され、移動局によって報告される前記パイロットチャネルの現在測定されている、以下ＲＳＣＰと呼ぶ受信信号コード電力の値と、以下Ｅｃ／Ｉｏと呼ぶ信号対干渉比の値とを受け取るように適合されている受取ユニットと、
前記受取ユニットによって受け取ったＲＳＣＰおよびＥｃ／Ｉｏの値にしたがって、前記パイロットチャネルの現在要求されている送信電力の値を計算して決定するように適合されている計算ユニットと、
前記計算ユニットによって決定された前記パイロットチャネルの現在要求されている送信電力の値にしたがって、前記パイロットチャネルの送信電力を調整するように適合されている調整ユニットとを具備する装置。
【請求項１２】
前記パイロットチャネルの決定された現在要求されている送信電力をスムージングまたはフィルタリングするように適合されている処理ユニットをさらに具備し、
前記調整ユニットは、前記処理ユニットによってスムージングまたはフィルタリングされた前記パイロットチャネルの現在要求されている送信電力の値にしたがって、前記パイロットチャネルの送信電力を調整する請求項１１記載の装置。
【発明の詳細な説明】
【優先権の主張】
【０００１】
本出願は、“パイロットチャネルの送信電力を調整するための方法”と題され２００６年８月２６日に中国特許庁に出願された中国特許出願第２００６１００６２３３８．５号の優先権を主張し、この全体的な内容は、参照によりここに組み込まれている。
【発明の分野】
【０００２】
本発明は、ワイヤレス通信の分野に関する。さらに詳細に述べると、ワイヤレス通信システムにおけるパイロットチャネルの送信電力を調整するための方法およびシステムに関する。
【発明の背景】
【０００３】
コード分割多元接続（ＣＤＭＡ）技術は、近年、デジタルセルラ移動体通信において使用されているアドバンスド拡散スペクトルワイヤレス通信技術である。この技術は、高容量で、高いコストパフォーマンス比で、かつ、効率的な移動体通信についての電気通信事業者の要求を満たす。ＣＤＭＡネットワークは、多数のセルラセルを含むセルラ移動電話ネットワークである。アクセスネットワークは、主に、基地局（ＢＳ）と基地局制御装置（ＢＳＣ）とを備える。基地局に搭載されているトランシーバは、基地局のカバレージエリア内のユーザ端末と通信するためのものである。基地局制御装置は、ネットワークリソースマネジメントおよびチャネル切替のような、さまざまな制御機能の役割を果たす。
【０００４】
ＣＤＭＡシステムは、自己干渉システムである。システムでは、基地局と移動局との間の通信中に、リンク損失に加えて、セル自体、および、そのセルの隣接セルによる干渉に対処する必要がある。基地局と移動局との間の通信を保証するために、基地局および移動局の送信電力が、それぞれ保証されるべきである。しかしながら、送信電力は、他の加入者と干渉しないよいように、あまりに高すぎてはならない。ＣＤＭＡシステムでは、システムにおける自己干渉の抵抗性を向上させるために、スペクトラル拡散およびスペクトラル逆拡散技術を使用することによって、スペクトラル拡散処理利得を取得する。
【０００５】
ＣＤＭＡシステムでは、パイロットチャネルの信号カバレージエリアが、セルの大きさを決定する。一般的に、パイロットチャネルを利用して、同期チャネル、ページングチャネル、およびトラフィックチャネル等のような他のチャネルのチャネル推定を移動局が実行するのをアシストする。一律のダウンリンクカバレージの半径は、ある電力オフセットをパイロットチャネルから設定することによって形成されるので、セルにおいて、ダウンリング信号の良質なカバレージが保証される。移動局は、パイロットチャネルの信号受信品質を測定して推定することによって、セルを選択したり、セルを再選択したり、または、他のセルに対してハンドオフされたりするので、移動局は、特定の通信品質を有するサービスを開始することができる。
【０００６】
今日では、パイロット電力を確認するとき、システムは、大抵、リンクバジェットまたはカバレージ予測シミュレーションによって、セルに対する固定パイロット電力を設定することによって、セルのカバレージエリアを決定する。あるセルに対して、ワイヤレス伝播環境が複雑であることから、他のセルからのパイロット信号が、あるセルと干渉する可能性がある。リンクバジェットまたはカバレージ予測シミュレーションによって、セルのパイロットチャネルの電力を決して正確に決定することはできない。屋内伝播モデルは複雑性が高いことから、屋内カバレージは、パイロットチャネルの電力の正確性が低い。したがって、リンクバジェットまたはカバレージ予測シミュレーションによって、パイロットチャネルの電力を正確に制御することはより困難であり、結果的に、あまりにも高い、または、あまりにも低いパイロット電力が生じることになる。したがって、パイロット信号のカバレージ範囲を高い正確性をともなって制御することはできないので、セル内の移動局の電気通信範囲を、至って十分に制御することができない。
【０００７】
ＣＤＭＡシステムは自己干渉システムであるので、パイロット電力があまりにも低く設定された場合、セルのカバレージ範囲は比較的狭く、移動局の通信エリアは比較的狭く制限される。さらに、他のチャネルの電力があまりにも低く設定されるので、これに応じて、移動局のダウンリンク品質が低下し、電気通信品質に悪影響を及ぼす。パイロット電力があまりにも高く設定された場合、隣接する基地局および移動局が干渉されるので、他のユーザの通信に悪影響を及ぼす。このことはまた、さらなる電力損失およびシステムリソースの浪費を招く。さらに、ワイヤレスネットワーク環境が変わったとき、電力を再調整するためのリンクバジェットまたはシステムシミュレーションは、比較的多い消費量とともに、より多い時間を要する。結果的に、ワイヤレスネットワークは、最適化された状態に決して早急に到達することはできない。不適切な電力設定は、結果的にシステム性能を減少させることになる。
【発明の概要】
【０００８】
本発明の実施形態は、移動局の通信エリアを正確に制御することができるように、セル内のパイロットチャネルの電力を正確に制御するために、ワイヤレス通信システムにおけるパイロット電力を調整する方法および装置を提供する。
【０００９】
本発明の実施形態は、パイロットチャネルの送信電力を調整するための方法を提供する。方法は、
移動局によって報告される前記パイロットチャネルの現在測定されている、以下、ＲＳＣＰと呼ぶ受信信号コード電力の値と、以下、Ｅｃ／Ｉｏと呼ぶ信号対干渉比の値とを、ネットワーク側によって受け取ることと、
前記受け取ったＲＳＣＰの値とＥｃ／Ｉｏの値とにしたがって、前記パイロットチャネルの現在要求されている送信電力の値を、前記ネットワーク側によって決定することと、
前記パイロットチャネルの現在要求されている送信電力の決定された値にしたがって、前記パイロットチャネルの送信電力を調整することとを含む。
【００１０】
本発明の別の実施形態は、パイロットチャネルの送信電力を調整するための装置を提供する。装置は、
ネットワーク側において構成され、移動局によって報告される前記パイロットチャネルの現在測定されている、以下ＲＳＣＰと呼ぶ受信信号コード電力の値と、以下Ｅｃ／Ｉｏと呼ぶ信号対干渉比の値とを受け取るように適合されている受取ユニットと、
前記受取ユニットによって受け取ったＲＳＣＰおよびＥｃ／Ｉｏの値にしたがって、前記パイロットチャネルの現在要求されている送信電力の値を計算して決定するように適合されている計算ユニットと、
前記計算ユニットによって決定された前記パイロットチャネルの現在要求されている送信電力の値にしたがって、前記パイロットチャネルの送信電力を調整するように適合されている調整ユニットとを具備する。
【００１１】
本発明の実施形態にしたがった、パイロット電力を調整するための解決策では、移動局の通信エリアを制御するために、あるエリアにおいて移動局によって通話テストを開始することによって、パイロットチャネルの受信信号コード電力（ＲＳＣＰ）およびＥｃ／Ｉｏの値を測定し、測定されたＲＳＣＰおよびＥｃ／Ｉｏの値にしたがってパイロットチャネルの送信電力の値を計算して、パイロットチャネルの送信電力の計算した値にしたがってパイロットチャネルの送信電力を調整する。このように、移動局の通信エリアを制御するために、基地局のパイロットチャネルの送信電力を正確に決定することができ、基地局と移動局との間の通信の対干渉能力が向上される。したがって、移動局の移動可能な範囲において決定されるセルの通信品質が保証される。
【図面の簡単な説明】
【００１２】
【図１】図１は、本発明の実施形態にしたがった、ワイヤレス通信システムにおけるパイロット電力を調整するための方法のフローチャートである。
【図２】図２は、本発明の実施形態にしたがった、パイロット電力を調整するための装置の構成を図示している構造図である。
【実施形態の詳細な説明】
【００１３】
一例として広帯域コード分割多元接続（ＷＣＤＭＡ）について、本発明の実施形態をさらに説明する。ＷＣＤＭＡシステムでは、基地局制御装置をＲＮＣと呼び、基地局をノードＢと呼ぶ。ＲＮＣおよびノードＢを、ネットワーク側と呼ぶことができる。このシステムでは、パイロットチャネルを、共通パイロットチャネル（ＣＰＩＣＨ）と呼ぶ。図１は、以下のプロセスを示している。
【００１４】
ステップ１０１では、移動局が、ある範囲で移動しながら、通話テストを開始する。
【００１５】
移動局は、テストされるべき番号を呼び出して、ネットワーク側への接続を確立する。テストされるべき番号を検出した後、ネットワーク側自体が、自動応答を提供してもよく、または、自動応答は、他のサービス（例えば、通話センター）によって提供されてもよい。ネットワーク側は、ダウンリンクイントラ周波数測定制御コマンドを移動局に送る。本発明の実施形態のＷＣＤＭＡシステムでは、ダウンリンクイントラ周波数測定制御コマンドは、共通パイロットチャネル（ＣＰＩＣＨ）の受信信号コード電力（ＲＳＣＰ）の値と、ＣＰＩＣＨの信号対干渉比（Ｅｃ／Ｉｏ）の値とを報告するように移動局に要求する命令情報を含む。
【００１６】
テスト中、移動局は、ある範囲内で移動しながら、通話テストを周期的に開始することが要求され、ネットワーク側は、測定制御コマンドまたは情報を移動局に周期的に送る。範囲は、移動局の所望の通信範囲、すなわち、決定されるべきセルのカバレージ範囲である。
【００１７】
ステップ１０２では、移動局が、測定レポートをネットワーク側に送る。
【００１８】
ネットワーク側によって送られたダウンリンクイントラ周波数測定制御コマンドを受け取った後に、移動局は、現在のＣＰＩＣＨのＲＳＣＰとＣＰＩＣＨのＥｃ／Ｉｏとを測定して、イントラ周波数測定レポートをネットワーク側に送る。測定レポートは、現在測定されているＣＰＩＣＨのＲＳＣＰおよびＣＰＩＣＨのＥｃ／Ｉｏの値を含んでいる。
【００１９】
手順中、ネットワーク側が、ダウンリンクイントラ周波数測定制御コマンドを移動局に周期的に送り、移動局が、ＣＰＩＣＨのＲＳＣＰおよびＣＰＩＣＨのＥｃ／Ｉｏの値を周期的に測定して、測定レポートを周期的に送出する。
【００２０】
ステップ１０３では、ネットワーク側が、測定レポートを取得して、測定レポートの内容と基地局の現在の送信電力とにしたがって、パイロットチャネルの現在要求されている送信電力を計算する。
【００２１】
このプロセス中、移動局によって送られた測定レポートを受け取った後、ネットワーク側は、移動局によって測定されたＣＰＩＣＨのＲＳＣＰおよびＣＰＩＣＨのＥｃ／Ｉｏの現在の値を得て、ノードＢの現在の送信電力にしたがって、パイロットチャネルの現在要求されている送信電力を計算する。この手順は、以下のステップを含む。
【００２２】
１）移動局によって現在報告されたＣＰＩＣＨのＲＳＣＰおよびＣＰＩＣＨのＥｃ／Ｉｏの値を、ネットワーク側が記録する。
【００２３】
２）ネットワーク側が、ノードＢの総送信電力と、ダウンリンクパイロットチャネルの送信電力とを取得する。このステップは、先行技術として知られているので、説明しない。
【００２４】
このステップで、基地局の現在の送信電力の負荷レベルのパーセンテージ、ならびに、総利用可能な送信電力に対する基地局のパイロットチャネル電力の比が、代わりに取得されてもよい。
【００２５】
３）ネットワーク側が、移動局によって報告されたＣＰＩＣＨのＥｃ／Ｉｏの要求を満たすように、移動局によって報告されたＣＰＩＣＨのＲＳＣＰを、担当セルにおける、ダウンリンク電力以外の他の干渉よりもあるレベル分だけ高くして、ダウンリンクパイロットチャネルの現在要求されている送信電力を計算する。実行可能な計算アルゴリズムについて、以下で説明する。
【００２６】
総干渉電力：Ｉｏ＝ＣＰＩＣＨのＲＳＣＰ測定値／（ＣＰＩＣＨのＥｃ／Ｉｏの測定値）
担当セルにおける干渉：Ｉｏｒ＝ＣＰＩＣＨのＲＳＣＰの測定値×（ノードＢの現在の総送信電力／ダウンリンクパイロットチャネルの送信電力）
基地局の現在の送信電力の負荷レベルのパーセンテージ、および、基地局の利用可能な総送信電力に対するパイロットチャネル電力の比が、ステップ２）で取得される場合、移動局が位置付けられているセルにおける干渉は、
担当セルにおける干渉：Ｉｏｒ＝ＣＰＩＣＨのＲＳＣＰの測定値×（基地局の現在の送信電力の負荷レベルのパーセンテージ／基地局の利用可能な総送信電力に対するパイロットチャネル電力の比）である。
【００２７】
ダウンリンク電力以外の他の干渉：Ｉｏｕｗ＝総干渉電力Ｉｏ−担当セルにおける干渉Ｉｏｒである。
【００２８】
現在要求されているＣＰＩＣＨのＲＳＣＰの値＝他の干渉Ｉｏｕｗ×パイロット保護マージンＭ
パイロット保護マージンＭは、担当セルと隣接セルとの間の物理的分離（例えば、屋内と屋外との間の壁を突き抜けるときの貫通損失）とともに、ワイヤレスチャネルの現在の環境のフェーディングマージンの大きさにしたがって設定されている値である。パイロット保護マージンは、ワイヤレス伝播の特定の環境に基づいて設定されている。
【００２９】
パイロットチャネルの現在要求されている送信電力＝ダウンリンクパイロットチャネルの現在の送信電力×（現在要求されているＣＰＩＣＨのＲＳＣＰの値／ＣＰＩＣＨのＲＳＣＰの測定された値）
上記の計算アルゴリズムにしたがって、パイロットチャネルの現在要求されている送信電力を取得することができる。
【００３０】
ステップ１０４では、ネットワーク側が、ステップ１０３で取得したパイロットチャネルの現在要求されている送信電力をスムージングまたはフィルタリングして、スムージングまたはフィルタリングによって結果的に生じるパイロットチャネルの現在要求されている送信電力を記録する。
【００３１】
パイロットチャネルの現在要求されている送信電力をスムージングまたはフィルタリングすることは、主に、短時間の信号フェーディングの影響を取り除くことである。実行可能なスムージングの解決策を以下で説明する。
【００３２】
ネットワーク側が、最近の時間期間に取得された、または、最近の回に取得されたパイロットチャネルの現在要求されている送信電力を記録して、パイロットチャネルの要求される送信電力のスムージングされた値として最小値を採用し、スムージングまたはフィルタリングから取得したパイロットチャネルの現在要求されている送信電力の値を記録する。
【００３３】
この手順中、通話テストは、継続的かつ周期的である。移動局が通話テストを開始して、測定レポートを報告するたびに、ネットワーク側は、パイロットチャネルの現在要求されている送信電力の値を計算して、パイロットチャネルの現在要求されている送信電力の値を、最近の時間期間に取得された、または、最近の回に取得されたパイロットチャネルの現在要求されている送信電力の値と比較して、パイロットチャネルの要求される送信電力のスムージングされた値として最小値を採用する。このステップにおける最近の時間期間または最近の回は、実際のテスト条件にしたがって設定されてもよい。一般的に、最近の時間期間または最近の回は、３〜１０秒または３〜１０回であってもよい。例えば、ネットワーク側が、現在の測定値を、５秒内に測定されたパイロットチャネルの送信電力の値と比較して、パイロットチャネルの要求される送信電力のスムージングされた値として最小値を採用してもよい。代わりに、ネットワーク側が、現在の測定値を、この時の前の最後の５回に測定されたパイロットチャネルの送信電力の値と比較して、パイロットチャネルの要求される送信電力のスムージングされた値として、最小値を採用してもよい。したがって、スムージング中にいつも、ネットワーク側は、以前に計算した結果を参照する必要がある。
【００３４】
ステップ１０５では、通話テストが終了されているか否かが決定される。通話テストが終了されている場合、プロセスはステップ１０６に進む。そうでなれば、ステップは、ステップ１０２に続き、移動局が、次の測定を実行して、ＣＰＩＣＨのＲＳＣＰおよびＣＰＩＣＨのＥｃ／Ｉｏの現在の値を測定し、イントラ周波数測定レポートを送出する。
【００３５】
ステップ１０６では、調整するための、パイロットチャネルの結果として生じる送信電力が、ステップ１０４で取得されたパイロットチャネルの現在要求されている送信電力にしたがって決定される。
【００３６】
このステップにおいて、移動局によって開始された通話テストは終了する。テストは周期的である。移動局が、測定レポートを報告するたびに、ネットワーク側は、パイロットチャネルの現在要求されている送信電力を取得するために、測定レポートを取得して、対応する計算を実行する。ステップ１０４におけるスムージングまたはフィルタリングの後に、ネットワーク側が、スムージングおよびフィルタリングの後に取得されたパイロットチャネルの現在要求されている送信電力の多数のスムージングされた、または、フィルタリングされた値を記録する。テスト位置が基地局から離れるにつれて、要求される送信電力は次第に増加する。したがって、多数の値の中の最大値が、調整するための、パイロットチャネルの送信電力の結果として生じる値として採用される。
【００３７】
ステップ１０７では、パイロットチャネルの送信電力を調整して、パイロットチャネルの送信電力にしたがって他のチャネルの送信電力を調整する。
【００３８】
このステップにおいて、ノードＢが、ステップ１０６で取得したパイロットチャネルの送信電力の結果として生じる値にしたがって、パイロットチャネルの送信電力を調整し、パイロットチャネルの調整された送信電力にしたがって、それに応じた他のチャネルの電力を調整する。この結果、セルの良質なダウンリンクカバレージを保証することができる。
【００３９】
図２は、本発明の実施形態にしたがった、パイロットチャネルの送信電力を調整するための装置２００を示している。装置は、ネットワーク側で構成され、移動局によって報告されるパイロットチャネルの現在測定されている、ＲＳＣＰおよびＥｃ／Ｉｏの値を受け取るように適合されている受取ユニット２１０と、
受取ユニットによって受け取ったＲＳＣＰおよびＥｃ／Ｉｏの値にしたがって、パイロットチャネルの現在要求されている送信電力の値を計算して決定するように適合されている計算ユニット２２０と、
計算ユニットによって決定されたパイロットチャネルの現在要求されている送信電力の値にしたがって、パイロットチャネルの送信電力を調整するように適合されている調整ユニット２３０とを備えている。
【００４０】
装置は、パイロットチャネルの決定された現在要求されている送信電力をスムージングまたはフィルタリングするように適合されている処理ユニット２４０をさらに備えていてもよい。
【００４１】
調整ユニットは、処理ユニットによってスムージングまたはフィルタリングされたパイロットチャネルの現在要求されている送信電力の値にしたがって、パイロットチャネルの送信電力を調整する。
【００４２】
上記で説明した実施形態から認識できるように、移動局は、通話テスト中に継続的に移動する。異なるテスト地点で移動局によって要求されるパイロットチャネルの送信電力の値は、対応する計算によって取得されてもよい。基地局によって送られるダウンリンクパイロット信号は、異なるテスト地点で取得したパイロットチャネルの送信電力の値の中の最大値を採用することによって、異なる地点の基地局に対する良質なカバレージを持っていることを保証する。このように、セルにおける移動局の移動可能な範囲内の任意の地点の通信品質を保証することができる。本発明の実施形態にしたがった方法によって、基地局のパイロットチャネルの送信電力をより正確に決定できるので、移動局の通信範囲をより適切に制御することができる。例えば、あまりにも低く設定されたパイロット電力が原因で劣化している通信品質、または、あまりにも高く設定されたパイロット電力から生じている他の移動局に対するさらなる電力損失および干渉といった、従来のリンクバジェットまたはカバレージ予測シミュレーションから生じる問題を防ぐことができる。
【００４３】
上記の実施形態の機能モジュールのすべてまたは一部、および、さまざまなステップは、ハードウェアに命令するプログラムによって実現されることを、当業者は正しく認識する。プログラムは、ＲＯＭ／ＲＡＭ、磁気ディスク、光ディスク、およびこれらに類するもののようなコンピュータ読み取り可能記憶媒体中に記憶されていてもよい。代わりに、機能モジュールおよびさまざまなステップは、個々の集積回路モジュールによって実現されてもよい。代わりに、多数の機能モジュールおよびさまざまなステップは、単一の集積回路に組み込まれてもよい。言い換えると、本発明は、何らかの特定のハードウェア、または、ソフトウェア、または、これらを組み合わせたものに限定されない。
【００４４】
認識できるように、本発明の実施形態にしたがった方法によって、基地局のパイロットチャネルの送信電力をより正確に決定することができるので、移動局の通信範囲をより適切に制御することができる。このことは、基地局と移動局との間の通信における対干渉能力を向上させ、セル内で移動可能な範囲における良質な通信品質を移動局に保証する。さらに、よりタイムリーかつ正確にパイロットチャネル電力を調整することができる。さらに、本発明の実施形態にしたがった方法によって、ワイヤレスネットワーク環境における変化に基づいて電力を再調整することができる。
【００４５】
本発明の実施形態にしたがったワイヤレス通信システムにおけるパイロット電力を調整する方法を、ＣＤＭＡ、ＷＣＤＭＡ、ＣＤＭＡ２０００、およびこれらに類するもののようなコード分割多元接続技術を使用しているワイヤレス通信システムに適用してもよい。
【００４６】
本発明の好ましい実施形態を上記で説明してきたが、本発明の範囲は、これらに限定されることを意図していない。本発明の精神および範囲内のさまざまな変形、均等な置換および改良のいずれも、本発明の保護範囲に包含されることを意図している。
【図１】
2010502136.tif 000003
【図２】
2010502136.tif 000004
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
パイロットチャネルの送信電力を調整するための方法において、
移動局によって報告される前記パイロットチャネルの現在測定されている、以下、ＲＳＣＰと呼ぶ受信信号コード電力の値と、以下、Ｅｃ／Ｉｏと呼ぶ信号対干渉比の値とを、ネットワーク側によって受け取ることと、
前記受け取ったＲＳＣＰの値とＥｃ／Ｉｏの値とにしたがって、前記パイロットチャネルの現在要求されている送信電力の値を、前記ネットワーク側によって決定することと、
前記パイロットチャネルの現在要求されている送信電力の決定された値にしたがって、前記パイロットチャネルの送信電力を前記ネットワーク側によって調整することとを含む方法。
【請求項２】
前記移動局によって報告されるＲＳＣＰの値とＥｃ／Ｉｏの値とを、前記ネットワーク側によって受け取る前に、
前記方法は、
前記移動局によって開始された通話テストを前記ネットワーク側が検出した後、ダウンリンクイントラ周波数測定制御コマンドを前記ネットワーク側によって前記移動局に対して送ることをさらに含み、
前記ダウンリンクイントラ周波数測定制御コマンドは、前記パイロットチャネルのＲＳＣＰの値とＥｃ／Ｉｏの値とを報告するように前記移動局に要求する命令情報を含む請求項１記載の方法。
【請求項３】
前記移動局によって開始された通話テストを前記ネットワーク側が検出した後に、前記ダウンリンクイントラ周波数測定制御コマンドを前記ネットワーク側が前記移動局に対して周期的に送ることと、
前記ダウンリンクイントラ周波数測定制御コマンドを前記移動局が受け取った後に、前記パイロットチャネルの現在測定されているＲＳＣＰの値とＥｃ／Ｉｏの値とを、前記移動局が前記ネットワーク側に対して周期的に報告することとを含む請求項２記載の方法。
【請求項４】
前記パイロットチャネルの現在要求されている送信電力の値を決定することは、
前記移動局によって現在報告されている前記パイロットチャネルのＲＳＣＰの値とＥｃ／Ｉｏの値とを、前記ネットワーク側によって取得することと、
基地局の現在の総送信電力と、前記パイロットチャネルの送信電力とを含むパラメータを取得すること、または、前記基地局の現在の送信電力の負荷レベルのパーセンテージと前記基地局の利用可能な総送信電力に対するパイロットチャネルの送信電力の比とを含むパラメータを取得することと、
前記取得したパラメータにしたがって、前記基地局の前記パイロットチャネルの現在要求されている送信電力を計算することとを含む請求項１ないし３のいずれか１項記載の方法。
【請求項５】
前記取得したパラメータにしたがって、前記基地局の前記パイロットチャネルの現在要求されている送信電力を計算することは、
総干渉電力：Ｉｏ＝ＲＳＣＰの測定された値／（Ｅｃ／Ｉｏの測定された値）と、
担当セルにおける干渉：Ｉｏｒ＝ＲＳＣＰの測定された値×（前記基地局の現在の総送信電力／前記パイロットチャネルの送信電力）、または、
担当セルにおける干渉：Ｉｏｒ＝ＲＳＣＰの測定された値×（前記基地局の現在の送信電力の負荷レベルのパーセンテージ／前記基地局の総送信電力に対するパイロットチャネル電力の比）、と
他の干渉：Ｉｏｕｗ＝Ｉｏ−Ｉｏｒと、
ＲＳＣＰの現在要求されている値＝Ｉｏｕｗ×パイロット保護マージンＭと、
前記パイロットチャネルの現在要求されている送信電力＝前記パイロットチャネルの現在の送信電力×（現在要求されているＲＳＣＰの値／前記ＲＳＣＰの測定された値）とによって実行される請求項４記載の方法。
【請求項６】
前記パイロットチャネルの現在要求されている送信電力の値を決定した後で、前記パイロットチャネルの送信電力を調整する前に、
前記通話テストが終了されているか否かを決定し、
前記通話テストが終了されていないとき、前記移動局によって報告されるパイロットチャネルの、次の現在測定されているＲＳＣＰの値とＥｃ／Ｉｏの値とを前記ネットワーク側によって受け取り、前記受け取られたＲＳＣＰの値とＥｃ／Ｉｏの値とにしたがって、前記パイロットチャネルの現在要求されている送信電力の値を決定し、
前記通話テストが終了されているとき、前記パイロットチャネルの現在要求されている送信電力の決定された値にしたがって、前記パイロットチャネルの送信電力を前記ネットワーク側によって調整する請求項１ないし５のいずれか１項記載の方法。
【請求項７】
前記パイロットチャネルの現在要求されている送信電力の値を決定した後で、前記パイロットチャネルの送信電力を調整する前に、
前記方法は、
前記決定されたパイロットチャネルの前記現在要求されている送信電力を、前記ネットワーク側によってスムージングまたはフィルタリングすることをさらに含む請求項１ないし６のうちのいずれか１項記載の方法。
【請求項８】
前記スムージングすることは、
前記パイロットチャネルの現在記録されている送信電力を、最近の時間期間に取得された、または、最近の回に取得された前記パイロットチャネルの現在要求されている送信電力と比較することと、
前記パイロットチャネルの前記スムージングされた、現在要求されている送信電力の値として、これらの送信電力の最小値を採用することとを含む請求項７記載の方法。
【請求項９】
前記パイロットチャネルの現在要求されている送信電力の決定された値にしたがって、パイロットチャネルの送信電力を調整することは、
調整するための、前記パイロットチャネルの送信電力の結果として生じる値として、前記パイロットチャネルの現在要求されている送信電力の多数の取得した値の中の最大値を採用することと、
調整するための、前記パイロットチャネルの送信電力の結果として生じる値にしたがって、前記パイロットチャネルの送信電力を前記基地局によって調整することとを含む請求項１ないし８のうちのいずれか１項記載の方法。
【請求項１０】
前記パイロットチャネルの送信電力を調整した後に、前記パイロットチャネルの送信電力にしたがって、他のチャネルの送信電力を調整することをさらに含む請求項９記載の方法。
【請求項１１】
パイロットチャネルの送信電力を調整するための装置において、
ネットワーク側において構成され、移動局によって報告される前記パイロットチャネルの現在測定されている、以下ＲＳＣＰと呼ぶ受信信号コード電力の値と、以下Ｅｃ／Ｉｏと呼ぶ信号対干渉比の値とを受け取るように適合されている受取ユニット（２１０）と、
前記受取ユニット（２１０）によって受け取ったＲＳＣＰおよびＥｃ／Ｉｏの値にしたがって、前記パイロットチャネルの現在要求されている送信電力の値を計算して決定するように適合されている計算ユニット（２２０）と、
前記計算ユニット（２２０）によって決定された前記パイロットチャネルの現在要求されている送信電力の値にしたがって、前記パイロットチャネルの送信電力を調整するように適合されている調整ユニット（２３０）とを具備する装置。
【請求項１２】
前記パイロットチャネルの決定された現在要求されている送信電力をスムージングまたはフィルタリングするように適合されている処理ユニット（２４０）をさらに具備し、
前記調整ユニット（２３０）は、前記処理ユニット（２４０）によってスムージングまたはフィルタリングされた前記パイロットチャネルの現在要求されている送信電力の値にしたがって、前記パイロットチャネルの送信電力を調整する請求項１１記載の装置。
【国際調査報告】
2010502136.tif 000005
2010502136.tif 000006
2010502136.tif 000007
2010502136.tif 000008
2010502136.tif 000009
2010502136.tif 000010